(57)【要約】【課題】  ストリップ線路型右手／左手系複合線路とそれを用いたストリップ線路型右手／左手系複合線路でなるアンテナを実現する。【解決手段】  中間層１の誘電体の中に配置される中間層導体４は、金属パターンを周囲に誘電体を残して形成される単位セルの集合体により構成され、該中間層１の両面を接地導体１，２により囲んでなり、右手系領域及び左手系領域で機能させることを特徴とするストリップ線路型右手／左手系複合線路を実現し、この線路の接地導体の片面２に周期的に複数の開口５を設け、その面積をと入力信号の周波数を変化させることで放射量と偏波方向を容易にコントロールすることができる。【選択図】      図８
2008028966.tif 000002
【特許請求の範囲】
【請求項１】
中間層の誘電体の中に配置される中間層導体は、金属パターンを周囲に誘電体を残して形成される単位セルの集合体により構成され、該中間層の両面を接地導体により囲んでなり、右手系領域及び左手系領域で機能させることを特徴とするストリップ線路型右手／左手系複合線路。
【請求項２】
中間層の誘電体の中に配置される中間層導体は、金属パターンを周囲に誘電体を残して形成される単位セルの集合体により構成され、該中間層の両面を接地導体により囲んでなり、伝搬波の位相定数βを（π／ａ）で規格化した値が−１.０〜１.０の範囲で機能させることを特徴とするストリップ線路型右手／左手系複合線路。
【請求項３】
中間層の誘電体の中に配置される中間層導体は、金属パターンを周囲に誘電体を残して形成される単位セルの集合体により構成され、該中間層の両面を接地導体により囲んでなり、右手系領域及び左手系領域で機能させるストリップ線路を構成し、接地導体の片面に複数の開口を設け、入力信号の周波数を制御することによりエネルギー放射の方向を制御することを特徴とするストリップ線路型右手／左手系複合線路でなるアンテナ。
【請求項４】
中間層の誘電体の中に配置される中間層導体は、金属パターンを周囲に誘電体を残して形成される単位セルの集合体により構成され、該中間層の両面を接地導体により囲んで、伝搬波の位相定数βを（π／ａ）で規格化した値が−１.０〜１.０の範囲で機能させるストリップ線路を構成し、接地導体の片面に複数の開口を設け、入力信号の周波数を制御することによりエネルギー放射の方向を制御することを特徴とするストリップ線路型右手／左手系複合線路でなるアンテナ。
【請求項５】
前記開口からのエネルギー放射量を制御して所望の放射特性をもたせるように、開口の面積を変化させて設定したことを特徴とする請求項３又は請求項４記載のストリップ線路型右手／左手系複合線路でなるアンテナ。
【請求項６】
前記各開口からのエネルギー放射量を一定とするように、開口の面積を入力ポートに近いほど小さく、逆に遠いほど大きく設定したことを特徴とする請求項３又は請求項４記載のストリップ線路型右手／左手系複合線路でなるアンテナ。
【請求項７】
開口の長さ又は幅を変化させることによりその面積を変化させることを特徴とする請求項３又は請求項４記載のストリップ線路型右手／左手系複合線路でなるアンテナ。
【請求項８】
前記開口はスリット又はスロットあるいはこれと同様な機能を有する形状の開口でなることを特徴とする請求項３又は請求項４記載のストリップ線路型右手／左手系複合線路でなるアンテナ。
【発明の詳細な説明】
【技術分野】
【０００１】
本発明はメタマテリアルで構成されたストリップ線路型右手／左手系複合線路とそれを用いたアンテナに関する。
【背景技術】
【０００２】
金属、誘電体、磁性体、超伝導体などの小片を、波長に対して十分短い間隔（波長の１０分の１程度以下）で並べることで自然にはない性質を待った媒質を人工的に構成することができる。この媒質を自然にある媒質を超えると言う意味でメタマテリアル（metamaterials）と呼んでいる。メタマテリアルの性質は、単位粒子の形状、材質およびそれらの配置により様々に変化するが、中でも、等価的な誘電率εと透磁率μとが同時に負となるメタマテリアルは、その電界と磁界と波数ベクトルが左手系をなすことから「左手系媒質（Left-Handed Materials）」と名づけられた。これに対して、等価的な誘電率εと透磁 率μとが同時に正となる通常の媒質は「右手系媒質（Right-Handed Materials）」と呼ばれる。これら誘電率ε、透磁率μと媒質との関係領域は、図１に示すように、誘電率εの正負及び透磁率μの正負に応じた第１象限〜第４象限の媒質に分類できる。
【０００３】
特に、「左手系媒質（ＬＨＭ）」は、バックワード波と呼ばれる、波の群速度（エネルギーの伝播する速度）と位相速度（位相の進む速度）の符号が逆転している波の存在や、また、非伝播領域で指数関数的に減衰する波であるエバネセント波の増幅、等の特異な性質を持つものである。そして、左手系媒質によるバックワード波を伝送する線路を人工的に構成することができることは公知である（例えば、非特許文献１、２参照。）。
【０００４】
この左手系媒質構成の概念に基づき、金属パターンからなる単位セルを周期的に並べてバックワード波を伝搬させる線路が提案されている。これまで、その伝送特性が理論的に取り扱われ、この線路が左手系伝送帯域を持つこと、左手系伝送帯域と右手系伝送帯域との間にバンドギャップが生じること、そのバンドギャップ幅は単位セル中のリアクタンスによりコントロールすることができること等が理論的に明らかになっている（例えば、非特許文献３参照。）。また、左手系伝送帯域と右手系伝送帯域を同時に伝送できる線路は右手／左手系複合線路と呼ばれている（例えば、非特許文献３参照。）。
【０００５】
従来、図２に示すようなマイクロストリップ線路構成において、右手／左手系線路が作製され、このマイクロストリップ線路の右手／左手系伝送特性が実験的に実証されている（例えば、非特許文献２、３参照。）。
【０００６】
図２（Ａ）はマイクロストリップ線路の右手／左手系線路構造の部分構成を示す。該線路は、誘電体基板１の表面に金属パターン４を周囲に誘電体を残して単位セルを形成し、この単位セルの集合体により構成される誘電体基板１の裏面には全面に接地導体３を有して形成される。
【０００７】
このマイクロストリップ線路型の右手／左手系線路は、波の位相定数が真空中の波数に比べて小さくなる周波数領域において伝送エネルギーの一部を放射する性質をもつため、この性質を用いてこれまで右手／左手系線路をアンテナとして動作させることができることが実証されている（例えば、非特許文献２、３参照。）。
【０００８】
図２（Ａ）のマイクロストリップ線路の伝送モードの電磁界は、図２（Ｂ）のようになり、線路の片側の半空間が開放されているため、放射領域 (線路の伝搬波の位相定数が真空中の波数よりも小さくなる領域) において放射が起こる。
【非特許文献１】D. R. Smith, W. J. Padilla, D. C. Vier, S. C. Nemat-Nasser, and S. Schultz, “Composite medium with simultaneously negative permeability andpermittivity,” Phys. Rev. Lett., vol. 84, no. 18,pp.4184-4187, May 2000.
【非特許文献２】C. Caloz, and T. Itoh, “Application of the transmission linetheory of left-handed (LH) materials to the realization of a microstripLH  line”, IEEE-APS Int'l Symp. Digest, vol. 2,pp. 412-415, June 2002.
【非特許文献３】Atsushi Sanada, Chritophe Caloz and Tatsuo Itoh,“Charact-eristicsof the Composite Right/Left-Handed Transmissin Lines,”IEEE Microwave and Wireless Component Letters, Voll.14, No.2, pp. 68-70,February 2004.
【発明の開示】
【発明が解決しようとする課題】
【０００９】
従来のマイクロストリップ線路型右手／左手系線路は、図２（Ａ）のような構造と図２（Ｂ）の伝送モードをもち、線路の片側の半空間が開放されているため、このような構造のマイクロストリップ線路型の右手／左手系線路では、電界、磁界の大部分は誘電体１の内部で伝送されるが、線路の半空間が開放されているため、一部は接地導体のない表面に放射される。即ち、伝送エネルギーの一部は外部に放射されて伝送線路に損失が生じることとなる。このことは従来のマイクロストリップ線路を左手系線路として使用するときにも同様なことが生じていた。
【００１０】
また、従来のマイクロストリップ線路型右手／左手系線路またはマイクロストリップ線路型左手系線路は、放射領域において放射が起こり、かつ単位セルからの放射量をコントロールする機構はもたない。このため、アンテナとして動作させる場合には、単位セルからの放射量が一定であるため、入力に近い部分での放射が大きく、離れた部分では放射が少ないという放射の不均一性を生じ、その結果、開口面効率が下がりビームを細く絞ることができないという欠点があった。また、放射エネルギーの偏波方向を自由に選ぶことができなかった。
【００１１】
そこで、本発明は、伝搬波の位相定数が真空中の波数よりも小さくなる、開放系の線路では、所謂、放射領域となる領域でも放射せず、放射なく信号伝送を行うことができ、伝送エネルギーを伝送線路において損失することがなく、左手系伝送帯域と右手系伝送帯域との間にバンドギャップが生じることがないストリップ線路型右手／左手系複合線路を実現し、これらのストリップ線路型線路を用い、開口面効率が上がりビームを細く絞ることができ、また、容易に放射量をコントロールすることができ、また、放射エネルギーの偏波方向を自由に選ぶことができるストリップ線路型右手／左手系複合線路でなるアンテナを提供することを目的とする。
【課題を解決するための手段】
【００１２】
上記目的を達成するために、この発明の請求項１に係るストリップ線路型右手／左手系複合線路は、中間層の誘電体の中に配置される中間層導体は、金属パターンを周囲に誘電体を残して形成される単位セルの集合体により構成され、該中間層の両面を接地導体により囲んでなり、右手系領域及び左手系領域で機能させる構成とした。
【００１３】
この発明の請求項２に係るストリップ線路型右手／左手系複合線路は、中間層の誘電体の中に配置される中間層導体は、金属パターンを周囲に誘電体を残して形成される単位セルの集合体により構成され、該中間層の両面を接地導体により囲んでなり、伝搬波の位相定数βを（π／a）で規格化した値が−１.０〜１.０の範囲で機能させる構成とした。
【００１４】
これにより、本発明のストリップ線路型右手／左手系複合線路は基板の表裏両面を接地導体で囲んでいるため、伝搬波の位相定数が真空中の波数よりも小さくなる開放系の線路でも、所謂、放射領域となる領域でも放射せず、放射なく信号伝送を行うことができ、伝送エネルギーを伝送線路において損失することなく効率良く伝送できる。そして、左手系伝送帯域と右手系伝送帯域との間にバンドギャップが生じることがない右手／左手系複合線路を実現できる。
【００１５】
この発明の請求項３に係るストリップ線路型右手／左手系複合線路でなるアンテナは、中間層の誘電体の中に配置される中間層導体は、金属パターンを周囲に誘電体を残して形成される単位セルの集合体により構成され、該中間層の両面を接地導体により囲んでなり、右手系領域及び左手系領域で機能させるストリップ線路を構成し、接地導体の片面に複数の開口を設け、入力信号の周波数を制御することによりエネルギー放射の方向を制御する構成とした。
【００１６】
この発明の請求項４に係るストリップ線路型右手／左手系複合線路でなるアンテナは、中間層の誘電体の中に配置される中間層導体は、金属パターンを周囲に誘電体を残して形成される単位セルの集合体により構成され、該中間層の両面を接地導体により囲んで、伝搬波の位相定数βを（π／a）で規格化した値が−１.０〜１.０の範囲で機能させるストリップ線路を構成し、接地導体の片面に複数の開口を設け、入力信号の周波数を制御することによりエネルギー放射の方向を制御する構成とした。
【００１７】
これにより、本発明のストリップ線路型右手／左手系複合線路でなるアンテナは、接地導体に面積を異ならせたスリットを設けることにより容易に放射量をコントロールすることができるようにし、スリット面積を理論に従って設計することにより、アンテナ放射量を各部で自由に制御でき、かつ入力信号の周波数を制御することによりエネルギー放射の方向を自由に制御することができる。
【００１８】
この発明の請求項５に係るストリップ線路型右手／左手系複合線路でなるアンテナは、請求項３又は請求項４記載のアンテナにおいて、前記開口からのエネルギー放射量を制御して所望の特性をもたせるように、開口の面積を変化させて設定した構成とした。
【００１９】
これにより、本発明のストリップ線路型右手／左手系複合線路でなるアンテナは、片側の接地導体に開口を設けることにより容易に放射量をコントロールすることができるようにし、開口面積を理論に従って設計することにより、アンテナ放射量を各部で自由に制御できるので、例えば、アンテナ面上の放射の割合を適当に設定すると、サイドローブの値を一定に低く抑えるチェビシェフ型の放射指向性パターンを作ることもできる。
【００２０】
この発明の請求項６に係るストリップ線路型右手／左手系複合線路でなるアンテナは、請求項３又は請求項４記載のアンテナにおいて、前記各開口からのエネルギー放射量を一定とするように、開口の面積を入力ポートに近いほど小さく、逆に遠いほど大きく設定した構成とした。
【００２１】
これにより、本発明のストリップ線路型右手／左手系複合線路でなるアンテナは、片側の接地導体に開口を設けることにより容易に放射量をコントロールすることができるようにし、各開口からのエネルギー放射量を一定とし、放射ビームの設計を容易に行なうことができ、かつ入力信号の周波数を制御することによりエネルギー放射の方向を自由に制御することができる。
【００２２】
この発明の請求項７に係るストリップ線路型右手／左手系複合線路でなるアンテナは、請求項３又は請求項４記載のアンテナにおいて、開口の長さ又は幅を変化させることによりその面積を変化させる構成とした。
【００２３】
これにより、本発明のストリップ線路型右手／左手系複合線路でなるアンテナは、片側の接地導体に開口を設けることにより容易に放射量をコントロールすることができるようにし、開口面積を理論に従って設計することにより、アンテナ放射量を各部で自由に制御できる。
【００２４】
この発明の請求項８に係るストリップ線路型右手／左手系複合線路でなるアンテナは、請求項３又は請求項４記載のアンテナにおいて、前記開口はスリット又はスロットあるいはこれと同様な機能を有する形状の開口でなる構成とした。
【発明の効果】
【００２５】
以上のように、本発明のストリップ線路型右手／左手系複合線路は基板の表裏両面を接地導体で囲んでいるため、伝搬波の位相定数が真空中の波数よりも小さくなる開放系の線路でも、所謂、放射領域となる領域でも放射せず、放射なく信号伝送を行うことができ、伝送エネルギーを伝送線路において損失することなく効率良く伝送できる。
【００２６】
そして、左手系伝送帯域と右手系伝送帯域との間にバンドギャップが生じることがなくストリップ線路型右手系線路を連続的にもったストリップ線路型右手／左手系複合線路を実現できる。
【００２７】
本発明のストリップ線路型右手／左手系複合線路でなるアンテナは、片側の接地導体に開口を設けることにより容易に放射量をコントロールすることができるようになるため、所望の放射ビームを設計することができ、また、開口の方向により偏波面を変化させることができるようになる。
【発明を実施するための最良の形態】
【００２８】
本発明に用いるストリップ線路型右手／左手系複合線路は、図３（Ａ）のように、内部に中間層導体４を有する中間層１の両面を接地導体２、３により囲まれたストリップ線路構造からなる。このストリップ線路構造のより具体的な構成は、図４（Ａ）（Ｂ）に示すように、中間層の誘電体１の中に配置される中間層導体４は、誘電体基板の表面に金属パターンを、周囲に誘電体を残して単位セルを形成し、この単位セルの集合体により構成される。図５に、この単位セルの中間層導体の金属パターンを拡大したものを示す。
【００２９】
図５の単位セルの中間層導体の金属パターンは、隣り合うセルと直列ギャップ容量を持たせるための電極となる金属ストリップＡ、それらを接続する金属ストリップＢ、金属ストリップＢの途中横方向に延びた並列インダクタンスを持たせるための金属ストリップＣ、及び金属ストリップＣの端に接続され接地導体との容量を持たせることで、ビアで接地導体と接続しなくとも金属ストリップＣの一端が接地されたと同等の効果を得る仮想接地の役割を果たす金属ストリップＤから構成される。
【００３０】
また、図６（Ａ）に単位セルの等価回路と、図６（Ｂ）に簡略化された等価回路を示す。この線路は中間層の金属パターン４に電界が集中するストリップ線路型の伝送モードを基本モードにもつものである。このように形成されたストリップ線路の伝送モードの電磁界は、図３（Ｂ）のようになり、このままでは線路の表裏両面が接地導体２、３に囲まれているため本質的に放射を生じない。
【００３１】
次に、線路の表裏両面が接地導体２、３に囲まれている構成のストリップ線路が、本発明のストリップ線路型右手／左手系複合線路となる理由を説明する。
【００３２】
右手／左手系複合線路では分散性（位相定数βと角周波数ωとの関係）をうまく設計することでバンドギャップをなくし、狭い周波数範囲でβを負（左手系）から正（右手系）の値に急激に変化させることができる（尚、波の波数は、伝送線路上の伝搬波のようにある決まった方向に伝搬する波に対しては「位相定数」と称されることが多いので、本明細書ではそのように記す。）。
【００３３】
このことを理論的に説明する。図６（Ｂ）に示す単位セルの簡略化された等価回路に基づいて、位相定数をβ、単位セルの周期をａとすると、この周期構造線路の分散関係を計算すれば、
β＝１／ａ・ｃｏｓ−１［１＋Ｚ（ω）Ｙ（ω）］              （１）
となる。
【００３４】
ここで、
Ｚ（ω）＝１／２［１／ｊωＣＬ
＋ｊωＬＲ ］
Ｙ（ω）＝１／［ｊωＬＬ ＋１／ｊωＣｇ
］＋ｊωＣＲ 
である。
【００３５】
この位相定数βに対する周波数ｆ（＝ω／２π）を、図７において、本発明の構造の単位セルに対して周期境界条件を与えて得られた本周期構造線路の分散特性を、三次元有限要素法による電磁界シミュレーション計算結果としてプロットすると、緩やかな傾きをもち、縦軸と交差する。ここで、横軸は伝搬波の位相定数βを（π／ａ）で規格化した値を示し、縦軸は周波数を示す。
【００３６】
ここで、図７は単位セルの諸元が次の例である。
【００３７】
ｐｗ＝１.５ｍｍ，ｐｈ＝２.４ｍｍ, ｃｗ＝０.５ｍｍ, ｃｌ＝６.０ｍｍ, ｌｌ１＝２.８ｍｍ，ｌｗ１＝１.０ｍｍ，ｌｌ２＝１.８ｍｍ，ｌｗ２＝０.５ｍｍ，単位セルの周期ａ＝４.０ｍｍ，厚さ ｓ＝１.０１６ｍｍ，εγ＝２.１７
【００３８】
一方、真空中の波数ｋｏ は光速をｃｏ
とすると、
ｋｏ ＝±ω／ｃｏ                      （２）
であり、ωと比例関係にある。これをやはり図７の分散関係にプロットすると図中の直線（Air line）となる。
【００３９】
図７で、−１≦β＜０である９.５ＧＨｚから１０.２ＧＨｚの周波数範囲において、位相速度（＝ω／β）は負、分散曲線の傾きで表わされる群速度（＝∂ω／∂β）は正、とこれらの符号が逆転しており、これはバックワード波の存在を示している。即ち、これはこの媒質が左手系特性を示す媒質であることの証拠である。また、０＜β≦＋１である１０.２ＧＨｚから１１.８ＧＨｚの周波数範囲では、位相速度（＝ω／β＞０）と群速度（＝∂ω／∂β＞０）が共に正で同符号であり右手系特性を示す。同図では左手系と右手系の伝送周波数帯が１０.２ＧＨｚにおいてつながっており、それらの間にバンドギャップが存在しないこともわかる。
【００４０】
このように、本発明のストリップ線路型の右手／左手系複合線路は、中間層１の誘電体の中に配置される中間層導体４が、金属パターンを周囲に誘電体を残して形成される単位セルの集合体により構成され、該中間層４の両面を接地導体２、３により囲んだ構造とし、伝搬波の位相定数βを（π／ａ）で規格化した値が−１.０〜１.０の範囲で機能させることにより、左手系伝送帯域と右手系伝送帯域との間にバンドギャップが生じることなく連続的に実現できる。
【００４１】
以上のように、本発明のストリップ線路型右手／左手系複合線路は、基板の表裏両面を接地導体で囲んでいるため、伝搬波の波数が真空中の波数よりも小さくなる開放系の線路でも、所謂、放射領域となる領域でも放射せず、放射なく信号伝送を行うことができ、伝送エネルギーを伝送線路において損失することなく効率良く伝送できる。
【００４２】
次に、本発明のストリップ線路型右手／左手系複合線路を用いたアンテナについて説明する。本発明では、図８に示すように、この線路の接地導体の片面（ここでは接地導体上面）２に周期的に複数の開口５を設け、その面積を変化させることで放射量を容易にコントロールすることができるようにした。開口はスリット又はスロットあるいはこれと同様な機能を有する形状のものであればよい。
【００４３】
即ち、中間層である誘電体１の中に配置される中間層導体４は、金属パターンを周囲に誘電体を残して形成される単位セルの集合体により構成する。該中間層１の両面を接地導体２、３により囲んでストリップ線路を構成し、接地導体の片面（上面接地導体２）に周期的に複数の開口（例えば、スリット）５を設け、開口の面積を入力ポートに近い方から遠い方へ向かって変化させて設定する。
【００４４】
図９に実際に試作した本発明のストリップ線路型右手／左手系複合線路でなるアンテナの構成図を示す。図９（Ａ）は上接地導体面、図９（Ｂ）は中間層である。上接地導体面２には、各開口５からの放射量を一定とし、かつサイドローブレベルをほぼ対称にするように、開口５の長さを入力ポートに近いほど短く、逆に遠いほど長くしてある。ここで、開口５の面積を変化させる手段としては、図９のように、開口５の長さを変化させる手段もあるが、または、開口５の幅を変化させる手段も採用できる。
【００４５】
開口５からの放射量を一定とする場合の各開口５の面積の割合は、図１０に示すように、入力ポートから入力されるエネルギーを伝搬するエネルギーは、入力ポートに近いほど大きく、遠くなるほど小さくなるので、アンテナの放射量が一定になるように、開口の放射の割合を入力ポートに近いほど小さく、遠いほど大きくなるように設定すれば良い。
【００４６】
また、アンテナの用途によっては、各開口５からの放射量を一定となるようにアンテナ面積を変化させることなく、エネルギー放射量を各部で自由に制御できることが望まれる。その場合は、本発明のアンテナは開口面積を理論に従って設計することにより、開口からのエネルギー放射量を各部で自由に制御して所望のアンテナ特性をもたせることができる。
【００４７】
次に、本発明のストリップ線路型右手／左手系複合線路でなるアンテナが広角度ビームスキャンが可能な理由を説明する。図８に示すように、ストリップ線路の接地導体の片面（上面接地導体２）に開口（例えば、スリット）５を設ければ、この開口からビームが放射される。
【００４８】
上記説明で図６（Ｂ）に示す単位セルの等価回路に基づいてこの周期構造線路の分散関係を計算したように、（１）式で求められる位相定数βに対する周波数ｆ（＝ω／２π）と、（２）式の真空中の波数ｋｏ
をプロットした、図７の分散特性から明らかなように、ストリップ線路型左手系線路からなるアンテナとストリップ線路型右手／左手系複合線路からなるアンテナとの区別は、傾きが正の分散曲線を描いたとき（つまり波の伝搬の座標をエネルギーが伝搬する方向を正の向きにとった場合）、
（Ａ）βが負の領域となる周波数範囲で用いると左手系線路でなるアンテナであり、
（Ｂ）βが正の領域となる周波数範囲で用いると右手系線路でなるアンテナであり、
（Ｃ）βが正負のすべての領域で用いるものが右手／左手系複合線路でなるアンテナとなる。
【００４９】
ブロードサイドからの角度である、ビームの放射角度はθ、線路中の伝搬波の位相定数をβ、真空中の波の波数をｋｏ
とすると、
（π／２）−θ＝ｃｏｓ−１β／ｋｏ        （３）
で与えられる。
【００５０】
図７を参照すると、（３）式中の逆余弦関数（ｃｏｓ−１）の中身β／ｋｏ
の値は、周波数がｆｘ１〜ｆｒ 〜ｆＸ２の間で−1 〜０〜＋1 と変化し、従って式（３）によると放射角θは−９０°〜０〜９０°と変化することになる。これは周波数を変化させた時にｋｏ
に比べてβが大きく変化することによるものである。
【００５１】
ストリップ線路型右手／左手系複合線路では分散性（位相定数βと角周波数ωとの関係）をうまく設計することでバンドギャップをなくし、狭い周波数範囲でβを負（左手系）から正（右手系）の値に急激に変化させることができるため、ビームの放射角度θを前方および後方の両方向に広角度に振ることができる。
【００５２】
このことを図１１の本発明のアンテナの動作模式図により、入力信号の周波数とアンテナの放射エネルギーの方向と関係について表示する。図１１において、入力信号の周波数がある値より高いと、ビームの放射角度θは０°＜θ＜９０°となり、前方方向となる。
【００５３】
入力信号の周波数がある値より低いと、ビームの放射角度θは−９０°＜θ＜０°となり、後方方向となる。また、左手系特性と右手特性の変換点でビームの放射角度はθは０°となり、正面方向に放射されることになる。そして、ビームの放射角度は理論的には、−９０°＜θ＜９０°の方向を実現することができる。
【００５４】
一方、従来の漏波アンテナでは、導波管を利用した方式、周期的擾乱体を付加して空間高調波成分を利用した方式や線路の高次伝播モードを利用した方式などがあるが、いずれも実用的な周波数可変範囲（例えば比帯域約１０％の範囲）では、ｋｏの変化に対してβの変化を大きく取ることはできないため、β／ｋｏを大きく変化させることはできない。
【００５５】
このため放射角θの変化は非常に限られたものとなる。更に、周波数を変化させてβを正から負へと連続的に変化させことはできず、その結果ビームの放射方向は前方あるいは後方へのみに限られるものであった。これに対し、本発明のストリップ線路型右手／左手系複合線路でなるアンテナのビームの放射角度θは、従来のものに比べて広角度である。
【００５６】
以上の結果の例示として、図１２に放射エネルギーのピークが発生する角度と入力信号の周波数との関係を表示すると、１０.４ＧＨｚの時は放射ビームを正面方向に対して正 の角度方向に放射し、１０.０４ＧＨｚの時は放射ビームを正面方向に対して負の角度方
向に放射し、１０.２２ＧＨｚの時は放射ビームを正面方向に放射している。このように、右手／左手系複合線路の特徴をそのまま兼ね備えていることが分かる。
【００５７】
図９のように試作したアンテナの放射パターンの測定値を示すと、入力信号の周波数を適正に設定し、ビームの放射角度θを０°とした時の、放射パターンの測定値は図１７になった。同図には本発明のストリップ線路型右手／左手系複合線路でなるアンテナ構造と同じ開口面積をもち、同じ周波数で動作する従来のマイクロストリップ型（開放型）アンテナの測定値を併せて示している。
【００５８】
図１３のように、従来のマイクロストリップ構造のものでは３ｄＢビーム幅が１４度であったものが、本発明のストリップ線路型右手／左手系複合線路でなるアンテナでは１２度と細くなっていることがわかる。同時に、従来方式アンテナの放射パターンの２０度付近にあったサイドローブレベルが約３ｄＢ低減されて、１０ｄＢ以下となっていることも分かる。これらは放射量が均一化された効果によるものである。
【００５９】
図９の試作例では、各開口５からの放射量を一定とし、かつサイドローブレベルをほぼ対称になるようにアンテナ面積を変化させたが、アンテナの用途によっては、アンテナ放射量を各部で自由に制御できることが望まれる。その場合は、本発明のアンテナは開口面積を理論に従って設計することにより、アンテナ放射量を各部で自由に制御できるので、例えば、アンテナ面上の放射の割合を適正に設定すると、図１４に示すように、サイドローブの値を一定に低く抑えるチェビシェフ型の放射指向性パターンを作ることもできる。
【産業上の利用可能性】
【００６０】
本発明のストリップ線路型右手／左手系複合線路は、マイクロ波のアンテナはもとより伝送線路、結合器、共振器、分配器等に応用できる。
【００６１】
また、本発明のストリップ線路型右手／左手系複合線路でなるアンテナは、放射ビームを絞ることができ、かつ放射エネルギーの偏波方向を自由に制御できるので、偏波面を制御する各種用途への直接的な応用が可能であり、自動車や歩行用ロボットの障害物検知用のアンテナとして用いた場合、対向車や対抗ロボットの電磁波の影響を受けることなく、正確な動作を確保できる。
【図面の簡単な説明】
【００６２】
【図１】誘電率ε、透磁率μと媒質との関係領域図。
【図２】従来のマイクロストリップ線路図。
【図３】本発明に用いるストリップ線路型右手／左手系複合線路図。
【図４】本発明に用いるストリップ線路型右手／左手系複合線路の構造図。
【図５】線路の単位セルの中間層の金属パターン。
【図６】線路の単位セルの等価回路図。
【図７】分散特性の数値シミュレーション計算例。
【図８】本発明のストリップ線路型右手／左手系複合線路でなるアンテナ。
【図９】本発明の試作アンテナの分解図。
【図１０】アンテナの放射量一定とスリットの放射の割合の関係図。
【図１１】本発明のアンテナの動作模式図。
【図１２】本発明のアンテナの放射パターン図。
【図１３】アンテナの正面方向への放射パターン測定図。
【図１４】他の特性のアンテナの正面方向への放射パターン測定図。
【符号の説明】
【００６３】
１          中間層
２          上面接地導体
３          下面接地導体
４          中間層導体（金属パターン）
５          開口
【図１】
2008028966.tif 000003
【図２】
2008028966.tif 000004
【図３】
2008028966.tif 000005
【図４】
2008028966.tif 000006
【図５】
2008028966.tif 000007
【図６】
2008028966.tif 000008
【図７】
2008028966.tif 000009
【図８】
2008028966.tif 000010
【図９】
2008028966.tif 000011
【図１０】
2008028966.tif 000012
【図１１】
2008028966.tif 000013
【図１２】
2008028966.tif 000014
【図１３】
2008028966.tif 000015
【図１４】
2008028966.tif 000016
【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
中間層の誘電体の中に配置される中間層導体は、金属パターンの周囲に誘電体を残して形成される単位セルの集合体により構成され、該中間層の両面を接地導体により囲んでなり、右手系領域及び左手系領域で機能させることを特徴とするストリップ線路型右手／左手系複合線路。
【請求項２】
中間層の誘電体の中に配置される中間層導体は、金属パターンの周囲に誘電体を残して形成される単位セルの集合体により構成され、該中間層の両面を接地導体により囲んでなり、伝搬波の位相定数βを（π／単位セルの周期ａ）で規格化した値が−１.０〜１.０の範囲で機能させることを特徴とするストリップ線路型右手／左手系複合線路。
【請求項３】
中間層の誘電体の中に配置される中間層導体は、金属パターンの周囲に誘電体を残して形成される単位セルの集合体により構成され、該中間層の両面を接地導体により囲んでなり、右手系領域及び左手系領域で機能させるストリップ線路を構成し、接地導体の片面に複数の開口を設け、入力信号の周波数を制御することによりエネルギー放射の方向を制御することを特徴とするストリップ線路型右手／左手系複合線路でなるアンテナ。
【請求項４】
中間層の誘電体の中に配置される中間層導体は、金属パターンの周囲に誘電体を残して形成される単位セルの集合体により構成され、該中間層の両面を接地導体により囲んで、伝搬波の位相定数βを（π／単位セルの周期ａ）で規格化した値が−１.０〜１.０の範囲で機能させるストリップ線路を構成し、接地導体の片面に複数の開口を設け、入力信号の周波数を制御することによりエネルギー放射の方向を制御することを特徴とするストリップ線路型右手／左手系複合線路でなるアンテナ。
【請求項５】
前記開口からのエネルギー放射量を制御して所望の放射特性をもたせるように、開口の面積を変化させて設定したことを特徴とする請求項３又は請求項４記載のストリップ線路型右手／左手系複合線路でなるアンテナ。
【請求項６】
前記各開口からのエネルギー放射量を一定とするように、開口の面積を入力ポートに近いほど小さく、逆に遠いほど大きく設定したことを特徴とする請求項３又は請求項４記載のストリップ線路型右手／左手系複合線路でなるアンテナ。
【請求項７】
開口の長さ又は幅を変化させることによりその面積を変化させることを特徴とする請求項３又は請求項４記載のストリップ線路型右手／左手系複合線路でなるアンテナ。
【請求項８】
前記開口はスリット又はスロットあるいはこれと同様な機能を有する形状の開口でなることを特徴とする請求項３又は請求項４記載のストリップ線路型右手／左手系複合線路でなるアンテナ。
【手続補正２】
【補正対象書類名】明細書
【補正対象項目名】００１２
【補正方法】変更
【補正の内容】
【００１２】
上記目的を達成するために、この発明の請求項１に係るストリップ線路型右手／左手系複合線路は、中間層の誘電体の中に配置される中間層導体は、金属パターンの周囲に誘電体を残して形成される単位セルの集合体により構成され、該中間層の両面を接地導体により囲んでなり、右手系領域及び左手系領域で機能させる構成とした。
【手続補正３】
【補正対象書類名】明細書
【補正対象項目名】００１３
【補正方法】変更
【補正の内容】
【００１３】
この発明の請求項２に係るストリップ線路型右手／左手系複合線路は、中間層の誘電体の中に配置される中間層導体は、金属パターンの周囲に誘電体を残して形成される単位セルの集合体により構成され、該中間層の両面を接地導体により囲んでなり、伝搬波の位相定数βを（π／単位セルの周期a）で規格化した値が−１.０〜１.０の範囲で機能させる構成とした。
【手続補正４】
【補正対象書類名】明細書
【補正対象項目名】００１４
【補正方法】変更
【補正の内容】
【００１４】
これにより、本発明のストリップ線路型右手／左手系複合線路は基板の表裏両面を接地導体で囲んでいるため、伝搬波の位相定数が真空中の波数よりも小さくなる開放系の線路でも、所謂、放射領域となる領域でも放射せず、放射なく信号伝送を行うことができ、伝送エネルギーを伝送線路において損失することなく効率良く伝送できる。そして、左手系伝送帯域と右手系伝送帯域との間にバンドギャップが生じることがない右手／左手系複合線路を実現できる。
【手続補正５】
【補正対象書類名】明細書
【補正対象項目名】００１５
【補正方法】変更
【補正の内容】
【００１５】
この発明の請求項３に係るストリップ線路型右手／左手系複合線路でなるアンテナは、中間層の誘電体の中に配置される中間層導体は、金属パターンの周囲に誘電体を残して形成される単位セルの集合体により構成され、該中間層の両面を接地導体により囲んでなり、右手系領域及び左手系領域で機能させるストリップ線路を構成し、接地導体の片面に複数の開口を設け、入力信号の周波数を制御することによりエネルギー放射の方向を制御する構成とした。
【手続補正６】
【補正対象書類名】明細書
【補正対象項目名】００１６
【補正方法】変更
【補正の内容】
【００１６】
この発明の請求項４に係るストリップ線路型右手／左手系複合線路でなるアンテナは、中間層の誘電体の中に配置される中間層導体は、金属パターンの周囲に誘電体を残して形成される単位セルの集合体により構成され、該中間層の両面を接地導体により囲んで、伝搬波の位相定数βを（π／単位セルの周期a）で規格化した値が−１.０〜１.０の範囲で機能させるストリップ線路を構成し、接地導体の片面に複数の開口を設け、入力信号の周波数を制御することによりエネルギー放射の方向を制御する構成とした。
【手続補正７】
【補正対象書類名】明細書
【補正対象項目名】００１７
【補正方法】変更
【補正の内容】
【００１７】
これにより、本発明のストリップ線路型右手／左手系複合線路でなるアンテナは、接地導体に面積を異ならせたスリットを設けることにより容易に放射量をコントロールすることができるようにし、スリット面積を理論に従って設計することにより、アンテナ放射量を各部で自由に制御でき、かつ入力信号の周波数を制御することによりエネルギー放射の方向を自由に制御することができる。
【手続補正８】
【補正対象書類名】明細書
【補正対象項目名】００１８
【補正方法】変更
【補正の内容】
【００１８】
この発明の請求項５に係るストリップ線路型右手／左手系複合線路でなるアンテナは、請求項３又は請求項４記載のアンテナにおいて、前記開口からのエネルギー放射量を制御して所望の特性をもたせるように、開口の面積を変化させて設定した構成とした。
【手続補正９】
【補正対象書類名】明細書
【補正対象項目名】００１９
【補正方法】変更
【補正の内容】
【００１９】
これにより、本発明のストリップ線路型右手／左手系複合線路でなるアンテナは、片側の接地導体に開口を設けることにより容易に放射量をコントロールすることができるようにし、開口面積を理論に従って設計することにより、アンテナ放射量を各部で自由に制御できるので、例えば、アンテナ面上の放射の割合を適当に設定すると、サイドローブの値を一定に低く抑えるチェビシェフ型の放射指向性パターンを作ることもできる。
【手続補正１０】
【補正対象書類名】明細書
【補正対象項目名】００２０
【補正方法】変更
【補正の内容】
【００２０】
この発明の請求項６に係るストリップ線路型右手／左手系複合線路でなるアンテナは、請求項３又は請求項４記載のアンテナにおいて、前記各開口からのエネルギー放射量を一定とするように、開口の面積を入力ポートに近いほど小さく、逆に遠いほど大きく設定した構成とした。
【手続補正１１】
【補正対象書類名】明細書
【補正対象項目名】００２１
【補正方法】変更
【補正の内容】
【００２１】
これにより、本発明のストリップ線路型右手／左手系複合線路でなるアンテナは、片側の接地導体に開口を設けることにより容易に放射量をコントロールすることができるようにし、各開口からのエネルギー放射量を一定とし、放射ビームの設計を容易に行なうことができ、かつ入力信号の周波数を制御することによりエネルギー放射の方向を自由に制御することができる。
【手続補正１２】
【補正対象書類名】明細書
【補正対象項目名】００２２
【補正方法】変更
【補正の内容】
【００２２】
この発明の請求項７に係るストリップ線路型右手／左手系複合線路でなるアンテナは、請求項３又は請求項４記載のアンテナにおいて、開口の長さ又は幅を変化させることによりその面積を変化させる構成とした。
【手続補正１３】
【補正対象書類名】明細書
【補正対象項目名】００２３
【補正方法】変更
【補正の内容】
【００２３】
これにより、本発明のストリップ線路型右手／左手系複合線路でなるアンテナは、片側の接地導体に開口を設けることにより容易に放射量をコントロールすることができるようにし、開口面積を理論に従って設計することにより、アンテナ放射量を各部で自由に制御できる。
【手続補正１４】
【補正対象書類名】明細書
【補正対象項目名】００２４
【補正方法】変更
【補正の内容】
【００２４】
この発明の請求項８に係るストリップ線路型右手／左手系複合線路でなるアンテナは、請求項３又は請求項４記載のアンテナにおいて、前記開口はスリット又はスロットあるいはこれと同様な機能を有する形状の開口でなる構成とした。